(57)【要約】      （修正有）【課題】グリップを掴んだ手の馴染み性や吸湿性、滑りにくさや伸縮性などの特性を改善するテニスラケット用グリップテープを提供する。【解決手段】帯状の長い革の表面に網形模様Ｄを施す。網形模様Ｄは、横線群１０、縦線群２０、及び、多数の囲繞部３０を有する。横線群１０に属する横線１１や縦線群２０に属する縦線２１は平面視波形の凸条でなり、囲繞部３０は凹入状に形成されている。【選択図】図３ａ
0003226709.tif 000002
【実用新案登録請求の範囲】
【請求項１】
テニスラケットのグリップに螺旋状に卷回されるテニスラケット用グリップテープであって、
帯状の長い革の表面に網形模様が施され、
この網形模様が、互いに間隔を隔てた複数本の横線でなる横線群と、互いに間隔を隔てた複数本の縦線でなる縦線群と、これらの横線と縦線とによって囲まれた複数の囲繞部でなる囲繞部群とを有し、
上記縦線及び横線は、互いに反対方向に膨らみ出た山形湾曲部と谷形湾曲部とが交互に繰り返し連続する平面視波形の凸条でなり、上記囲繞部が凸条でなる上記縦線及び横線によって囲まれた凹入部でなる、ことを特徴とするテニスラケット用グリップテープ。
【請求項２】
横線を形成している上記凸条に備わっている山形湾曲部と谷形湾曲部との繰り返し方向と縦線を形成している上記凸条に備わっている山形湾曲部と谷形湾曲部との繰り返し方向とが、互いに直交する方向を向いている請求項１に記載したテニスラケット用グリップテープ。
【請求項３】
上記網形模様が型押し加工によって形成されている請求項１又は請求項２に記載したテニスラケット用グリップテープ。
【請求項４】
帯状の長い上記革には２度のクロムなめし工程が施されている請求項１ないし請求項３のいずれか１項に記載したテニスラケット用グリップテープ。
【考案の詳細な説明】
【技術分野】
【０００１】
本考案は、テニスラケットのグリップに螺旋状に卷回されるテニスラケット用グリップテープに関する。
【背景技術】
【０００２】
この種のグリップテープを選択するときには、グリップを掴んだ手の馴染み性や吸湿性、滑りにくさや適度の伸縮性などが考慮されることが多く、革製のグリップテープはこれらの要求特性を高めやすいものとされている。
【０００３】
先行例には、断面八角形状の中空柱状部材よりなる本体部の端部にエンドキャップを包着し、この本体部の外側にグリップテープを卷回してなるテニスラケットグリップが開示されている（特許文献１参照）。また、他の先行例には、白ダイの魚皮をなめして表面に多数のうろこが密集した状態で乱立している皮革を、スポーツ用具のグリップに使用することが記載されている（特許文献２参照）。
【先行技術文献】
【特許文献】
【０００４】
【特許文献１】特開２０１２−１１５３９２号公報
【特許文献２】実用新案登録第２５３８５６９号公報
【考案の概要】
【考案が解決しようとする課題】
【０００５】
本考案は、以上の状況のもとでなされたものであり、グリップテープの材料に、動物の皮になめし加工を施すことによって得られる革（なめし革）を用いることを基本として、グリップを掴んだ手の馴染み性や吸湿性、滑りにくさや伸縮性などの特性を改善しやすいテニスラケット用グリップテープを提供することを目的としている。
【課題を解決するための手段】
【０００６】
本考案に係るテニスラケット用グリップテープは、テニスラケットのグリップに螺旋状に卷回されるテニスラケット用グリップテープであって、帯状の長い革の表面に網形模様が施され、この網形模様が、互いに間隔を隔てた複数本の横線でなる横線群と、互いに間隔を隔てた複数本の縦線でなる縦線群と、これらの横線と縦線とによって囲まれた複数の囲繞部でなる囲繞部群とを有し、上記縦線及び横線は、互いに反対方向に膨らみ出た山形湾曲部と谷形湾曲部とが交互に繰り返し連続する平面視波形の凸条でなり、上記囲繞部が凸条でなる上記縦線及び横線によって囲まれた凹入部でなる、というものである。
【０００７】
このように構成されているグリップテープは、革製であることにより、良好な手触り感や手の馴染み性、適度の吸湿性（吸汗性）、滑りにくさや伸縮性を発揮する。また、このグリップテープをテニスラケットのグリップに螺旋状に卷回しておくと、当該グリップテープが具備している網形模様によって、手触り感や手の馴染み性、滑りにくさや伸縮性が改善される。特に、横線群や縦線群を形成している平面視波形の凸条でなる複数本の縦線と横線とが交差しているために、それらの縦線群や横線群が、グリップを掴んだ手からそのグリップが滑って抜け出したり回転したりすることの抵抗力を発揮し、上記した良好な手触り感や手の馴染み性と相まってテニスラケットの使い勝手が格段に向上する。
【０００８】
本考案では、横線を形成している上記凸条に備わっている山形湾曲部と谷形湾曲部との繰り返し方向と縦線を形成している上記凸条に備わっている山形湾曲部と谷形湾曲部との繰り返し方向とが、互いに直交する方向を向いていることが望ましい。これによれば、横線や縦線を形成している凸条が、手からのグリップの抜け出し方向や回転方向に対して交差する方向に延びる形態になるために、上記した抵抗力が効果的に発揮される。
【０００９】
本考案では、上記網形模様が型押し加工によって形成されていることが望ましい。これによれば、帯状の長い革に網形模様を容易にかつ安価に具備させることができるようになる。
【００１０】
本考案では、帯状の長い上記革には２度のクロムなめし工程が施されていることが望ましい。これによれば、革素材にあらかじめ施されたクロムなめしに加えて、革の特性を調節のために再度クロムなめしを行うことにより、グリップテープに適度の柔軟性や伸び性、弾力性が付与され、吸湿性も向上する。
【考案の効果】
【００１１】
以上のように、本考案に係るグリップテープによれば、グリップを掴んだ手の馴染み性や吸湿性、滑りにくさや伸縮性などの特性が改善される。
【図面の簡単な説明】
【００１２】
【図１】本考案の実施形態に係るグリップテープを一部省略して示した展開平面図である。
【図２】図１のＩＩ−ＩＩ線に沿う部分の概略拡大断面図である。
【図３ａ】グリップテープの製作に使用される革素材を説明的に示した平面図である。
【図３ｂ】横線の説明図である。
【図３ｃ】縦線の説明図である。
【図４】図１のグリップテープの要部を示した拡大平面図である。
【図５】図４のＶ−Ｖ線に沿う部分の端面図である。
【図６】図４のＶＩ−ＶＩ線に沿う部分の端面図である。
【図７】グリップテープをテニスラケットのグリップに螺旋状に巻き付けた状態の概略斜視図である。
【考案を実施するための形態】
【００１３】
図１は本考案の実施形態に係るグリップテープ１００を一部省略して示した展開平面図、図２は図１のＩＩ−ＩＩ線に沿う部分の概略拡大断面図である。このグリップテープ１００は、ある種の動物の皮になめし加工を行うことによって得られた帯状の長い革を用いて作られている。特に、この実施形態のグリップテープの素材である革は、２度のクロムなめし工程を施すことによって製作されている。このため、一般的な革の特性である良好な手触り感や手の馴染み性、適度の吸湿性（吸汗性）、滑りにくさや伸縮性を発揮するだけでなく、柔軟性や伸び性、弾力性について改善された効果を発揮する。図１に示したグリップテープ１００は、テニスラケットのグリップに螺旋状に巻き付けるのに適した長さを有していて、その幅寸法Ｗは２０ｍｍ程度である。グリップテープ１００の長さや幅寸法Ｗは、テニスラケットのグリップの長さや太さなどに応じて適宜定められる。なお、この実施形態では、長尺帯状のグリップテープ１００の巻き付け始端部１０１の幅寸法を先狭形状にし、かつ、弓形に反らせた形状にしている。この形状は、グリップテープ１００をテニスラケットのグリップに螺旋状に巻き付け安くするための有効な対策として採用されている。また、図２のように、グリップテープ１００の幅方向両端部には切削などの薄肉加工が施されていて、中央部の肉厚Ｔに対して幅方向両端部の肉厚Ｔ１が薄くなっている。これは、グリップテープ１００をテニスラケットのグリップに螺旋状に巻き付け安くするための対策として採用されているだけでなく、グリップに螺旋状に巻き付けられたグリップテープ１００の重なり部分に生じる段差を必要最少限度に抑えることに役立つ。さらに、グリップテープ１００の表面は、バフがけによりやや起毛した状態であり、全面に亘って後述する網形模様Ｄを有している。また、グリップテープ１００の裏面についてもバフがけによりやや起毛した状態に仕上げられている。
【００１４】
図３ａはグリップテープ１００の製作に使用される革素材２００を説明的に示した平面図、図３ｂは横線１１の説明図、図３ｃは縦線２１の説明図である。また、図４は図１のグリップテープ１００の要部を示した拡大平面図、図５は図４のＶ−Ｖ線に沿う部分の端面図、図６は図４のＶＩ−ＶＩ線に沿う部分の端面図である。
【００１５】
革素材２００の表面には、グリップテープ１００（図１参照）の表面に付与される上記した網形模様Ｄが施されている。次に、この網形模様Ｄについて図３ａ、図３ｂ及び図３ｃを参照して説明する。
【００１６】
網形模様Ｄは、横線群１０及び縦線群２０を有している。横線群１０には、図３ｂに示した横線１１が含まれ、この横線１１では、互いに反対方向に膨らみ出た山形湾曲部１２と谷形湾曲部１３とが交互に繰り返し一方向に連続している。そして、図３ａを併せ見ることによって判るように、横線群１０が、図３ｂの横線１１を複数本に亘って一定の間隔を隔てて並列させることによって形成されている。これと同様に、縦線群２０には、図３ｃに示した縦線２１が含まれ、この縦線２１でも、互いに反対方向に膨らみ出た山形湾曲部２２と谷形湾曲部２３とが交互に繰り返し一方向に連続している。そして、図３ａを併せ見ることによって判るように、縦線群２０が、図３ｃの縦線２１を複数本に亘って一定の間隔を隔てて並列させることによって形成されている。図３ａ及び図３ｂにおいて、符号Ｒ１は、横線１１についての交互に繰り返して連続する山形湾曲部１２と谷形湾曲部１３との繰り返し方向を示している。図３ａ及び図３ｃにおいて、符号Ｒ２は、縦線２１についての交互に繰り返して連続する山形湾曲部１２と谷形湾曲部１３との繰り返し方向を示している。また、図３ａに示したように、この網形模様Ｄでは、横線群１０に属する横線１１と縦線群２０に属する縦線２１とが交差していて、互いに交差している横線１１と縦線２１とによって複数の囲繞部３０が形成されている。
【００１７】
グリップテープ１００は、図３ａに示した革素材２００から切り出される。たとえば、図３ａに示した切断線Ｃ，Ｃに沿って革素材２００を切断して革素材２００を帯状に切り出すことによってグリップテープ１００が得られる。なお、図１のグリップテープ１００のように、巻き付け始端部１０１の幅寸法を先狭形状にするときには、その先狭形状が得られるような形状に切り出す。
【００１８】
図３ａに示した革素材２００から切り出されたグリップテープ１００の表面の網形模様Ｄは、図４〜図６に拡大して示したように、横線１１と縦線２１とが交差していて、横線１１や縦線２１は平面視波形の凸条によって形成されている。このため、上記囲繞部３０は凹入状に形成されている。この実施形態では、図３ａ〜図３ｃに示した横線群１０に属する横線１１の山形湾曲部１２と谷形湾曲部１３の繰り返し方向Ｒ１が、縦線群２０に属する縦線２１の山形湾曲部２２と谷形湾曲部２３の繰り返し方向Ｒ２に対して直交する方向を向いている。このため、凹入状の囲繞部３０が略四角形の形状を有している。上記した形態の網形模様Ｄは、図３ａに示した革素材２００の表面に型押し加工を行うことによって容易にかつ安価に得ることが可能である。
【００１９】
図７は上記したグリップテープ１００をテニスラケットのグリップに螺旋状に巻き付けた状態の概略斜視図である。同図において、３０１はグリップエンド、３０２はフレームをそれぞれ示している。
【００２０】
以上説明した実施形態に係るグリップテープ１００は、革製に特有の良好な手触り感や手の馴染み性、適度の吸湿性（吸汗性）、滑りにくさや伸縮性を発揮することは勿論、グリップテープ１００が具備している凹凸模様Ｄによって、手触り感や手の馴染み性、滑りにくさや伸縮性が改善される。特に、横線群１０や縦線群２０に属しているそれぞれの横線１１や縦線２１が平面視波形の凸条によって形成されているために、それらの凸条が、図７に示したグリップを掴んだ手からのグリップの抜け出し方向（矢印Ｙ方向）や回転方向（矢印Ｒ方向）に対して交差する方向に延びた形態になる。このため、その形態が抜け出しや回転の抵抗になってグリップが手から抜け出したり回転したりしにくくなり、上記した良好な手触り感や手の馴染み性と相まってラケットの使い勝手が格段に向上する。
【００２１】
なお、以上の説明では、動物の皮において、なめしていない状態を「皮」と称し、なめしたものを「革」と称して、両者を区別した。
【符号の説明】
【００２２】
１０  縦線群
２０  横線群
１１  横線
１２，２２  山形湾曲部
１３．２３  谷形湾曲部
２１  縦線
３０  囲繞部
１００  グリップテープ
Ｄ  凹凸模様
Ｒ１  横線についての山形湾曲部と谷形湾曲部との繰り返し方向
Ｒ２  縦線についての山形湾曲部と谷形湾曲部との繰り返し方向
【図１】
0003226709.tif 000003
【図２】
0003226709.tif 000004
【図３ａ】
0003226709.tif 000005
【図３ｂ】
0003226709.tif 000006
【図３ｃ】
0003226709.tif 000007
【図４】
0003226709.tif 000008
【図５】
0003226709.tif 000009
【図６】
0003226709.tif 000010
【図７】
0003226709.tif 000011